(57)【要約】【課題】搬送用の把手として機能でき、かつ、パネル体を安全な足場としても活用させることができるパネル体把手構造を提供することを目的とする。【解決手段】上層板１と下層板２とが間隔部３をもって一体状に連結されたパネル体４の把手構造である。上層板１に形成した貫通主孔５に屈曲棒状の把手治具６が挿通状とされる。把手治具６は、把手治具６の略全体が間隔部３へ差し入れられ把手治具６の一端部６ａの止め具部７が上層板１に上方突出状に固定されて吊り用治具となり、把手治具６が間隔部３から引き出されてパネル体搬送用把手となるものである。【選択図】  図２
2004270367.tif 000002
【特許請求の範囲】
【請求項１】
上層板（１）と下層板（２）とが間隔部（３）をもって一体状に連結されたパネル体（４）の把手構造であって、上記上層板（１）に形成した貫通主孔（５）に屈曲棒状の把手治具（６）が挿通状とされ、該把手治具（６）は、該把手治具（６）の略全体が上記間隔部（３）へ差し入れられ該把手治具（６）の一端部（６ａ）の止め具部（７）が上記上層板（１）に上方突出状に固定されて該パネル体（４）の吊り用治具となり、該把手治具（６）が該間隔部（３）から引き出されてパネル体搬送用把手となることを特徴とするパネル体把手構造。
【請求項２】
上記止め具部（７）はアイボルトとされ、上記貫通主孔（５）が該アイボルトに螺合するネジ孔（８）とされた請求項１記載のパネル体把手構造。
【請求項３】
上記上層板（１）は、上記把手治具（６）が引き出された状態で、折り返し屈曲させた該把手治具（６）の他端部（６ｂ）が差し込み状となって該把手治具（６）の回転を防止する貫通副孔（９）を有する請求項１又は２記載のパネル体把手構造。
【請求項４】
上記上層板（１）は足場板（１１）とされ、上記下層板（２）が電波吸収パネル（１２）とされた請求項１，２又は３記載のパネル体把手構造。
【発明の詳細な説明】
【０００１】
【発明の属する技術分野】
本発明はパネル体把手構造に関する。
【０００２】
【従来の技術】
近年、高速道路交通システムの一分野である有料道路の自動料金収受（ＥＴＣ）システムが採用されている。このＥＴＣシステムによって、料金所での自動車のノンストップによる渋滞解消、キャッシュレス化への対応、料金所での無人化等を図ろうとしている。
【０００３】
このＥＴＣシステムに於て、アーチ状のゲート（ガントリー）の上辺に設置した路側アンテナから道路に向けて電波を発信し、この道路を走行通過する自動車の車載器と上記路側アンテナとの間で双方向通信を行う。その際、上記路側アンテナから直接的に車載器の電波が到達するのみであれば、問題は生じないのであるが、上記路側アンテナから発信された電波が一旦道路面にて反射し、さらに、該料金所近傍にて道路と交差してあるいは平行に設けられた別の高架道路の裏面側───高架裏───やその他の構造物にて再反射すると、次のような問題を生ずる。即ち、上記高架裏等で電波が再反射すると、再び上記車載器へ電波が到達し、一度の通過にかかわらず、二度の料金徴収を行う等の誤操作のおそれがあった。
そこで、上記料金所の近傍の構造物の天井面等に、電波の反射を低減乃至無くするための電波吸収パネルを布設している。
【０００４】
天井面に電波吸収パネルを布設する従来の方法としては、地上から足場を組み立てて、天井面に対しこの足場から作業者が電波吸収パネルを持ち上げ、電波吸収パネルを天井面の梁等に固定している。
そして、従来、電波吸収パネルでは、パネル上面に取付け用係止具が取着されたものがある（例えば、特許文献１参照）。
【０００５】
【特許文献１】
特許第３０８４００９号公報
【０００６】
【発明が解決しようとする課題】
しかし、従来の電波吸収パネルでは、作業者が電波吸収パネルを搬送するためには、抱きかかえる必要があり、非常に扱いにくいという問題がある。そこで、図４の斜視図に示すように、電波吸収パネルに門型の把手４０を取着させたものも考えられる。
また、電波吸収パネルには、パネル落下防止用としてアイボルトを取着している。つまり、天井面に並設させた複数枚の電波吸収パネルの夫々のアイボルトにワイヤを挿通させ、ワイヤ両端部を天井面の梁等に固定し、もし電波吸収パネルが固定用の梁から外れてもワイヤによりパネルが地上へ落下するのを防止している。
この落下防止用のアイボルトは布設後において安全上不可欠であるが、図４のような把手４０は大きな突起物となり不要となる。特に、電波吸収パネルの上面を足場として活用する足場兼用電波吸収パネル体とした場合、この把手４０に足がひっかかりやすく、作業者がつまずき転倒して転落するというおそれがある。従って、足場兼用電波吸収パネル体は、できる限りその上面である足場面に突起物をなくすことが求められている。
【０００７】
そこで本発明は、搬送用の把手として機能でき、かつ、パネル体を安全な足場としても活用させることができるパネル体把手構造を提供することを目的とする。
【０００８】
【課題を解決するための手段】
上述の目的を達成するために、本発明に係るパネル体把手構造は、上層板と下層板とが間隔部をもって一体状に連結されたパネル体の把手構造であって、上記上層板に形成した貫通主孔に屈曲棒状の把手治具が挿通状とされ、該把手治具は、該把手治具の略全体が上記間隔部へ差し入れられ該把手治具の一端部の止め具部が上記上層板に上方突出状に固定されて該パネル体の吊り用治具となり、該把手治具が該間隔部から引き出されてパネル体搬送用把手となるものである。
また、上記止め具部はアイボルトとされ、上記貫通主孔が該アイボルトに螺合するネジ孔とされたものである。
また、上記上層板は、上記把手治具が引き出された状態で、折り返し屈曲させた該把手治具の他端部が差し込み状となって該把手治具の回転を防止する貫通副孔を有するものである。
また、上記上層板は足場板とされ、上記下層板が電波吸収パネルとされたものである。
【０００９】
【発明の実施の形態】
以下、図示の実施の形態に基づき、本発明を詳説する。
【００１０】
図１と図２は、本発明に係るパネル体把手構造の実施の一形態を示す側面断面図であり、図１はパネル体４が所定の取付位置に布設された状態での形態であり、図２はパネル体４を搬送する際の形態を示す。
このパネル体把手構造は、上層板１と下層板２とが間隔部３をもって一体状に連結されたパネル体４の把手構造である。具体的には、上層板１が足場板１１とされ、下層板２が電波吸収パネル１２とされたものがあり、足場板１１と電波吸収パネル１２とが、（図外の）連結部材にて一体状に連結されて電波吸収パネル体１０とされたものである。つまり、この電波吸収パネル体１０は、足場兼用電波吸収パネルと言える。また、下層板には、電波吸収パネル以外にも、吸音パネル、化粧パネル、電波音波吸収パネル等を適宜用いても良い。
【００１１】
そして、この一体状に組み立てられた電波吸収パネル体１０は、例えば高速道路交通システムの一分野である有料道路の自動料金収受（ＥＴＣ）システムが採用された料金所近傍において用いられるものであり、電波吸収パネル体１０は、アーチ状のゲート（ガントリー）や高架道路の高架裏等に布設されるものである。
【００１２】
具体的な全体の構成を、電波吸収パネル体１０が高架裏に布設される場合として説明すると、図３の斜視図に示すように、高架裏（桁裏）１３には、長手方向にＨ型鋼等の高架道路主桁１４が複数列配設されている。この主桁１４と平行にその下方位置に、Ｈ型鋼等の縦梁１５が吊部材２２にて吊下状に保持されている。そして、平面視において縦梁１５に直交状に、横梁１６が複数本の縦梁１５の下面に当接して固着される。電波吸収パネル体１０は、その両端部においてこの横梁１６に差し込み状等となって布設される。
【００１３】
次に、この電波吸収パネル体１０の把手構造について図１と図２により説明する。この把手構造は、電波吸収パネル１２（下層板２）と所定間隔Ａの間隔部３をもって一体状に連結させた足場板１１において、足場板１１（上層板１）に形成した貫通主孔５に屈曲棒状の把手治具６が挿通状とされている。なお、以下において、上層板１を足場板１１とし、下層板２を電波吸収パネル１２として主に説明する。
【００１４】
把手治具６は、図１に示すように、把手治具６の略全体が足場板１１と電波吸収パネル１２との間の間隔部３へ差し入れられ、把手治具６の一端部６ａの止め具部７が上層板１に上方突出状に固定されてパネル体４の（落下防止）吊り用治具となり、図２に示すように、把手治具６がその間隔部３から（把手治具６の他端部６ｂ寄りの部位を残して）引き出されてパネル体搬送用把手となるものである。
【００１５】
把手治具６を具体的に説明すると、把手治具６は、断面円形の鋼製棒部材２１を２回同方向へ直角に折り曲げて略コ字状とし、一端部６ａに止め具部７を取着させ、他端部６ｂを再度直角に折り曲げて差し込み端部１７を形成したものである。
つまり、把手治具６は、止め具部７のある一端部６ａから直線第一部１８、直線第一部１８に直角の直線第二部１９、直線第二部１９に直角の直線第三部２０、直線第三部２０に直角の差し込み端部１７である他端部６ｂとなる。従って、直線第一部１８と直線第三部２０とが平行であり、直線第二部１９と差し込み端部１７とが平行となる。さらに、直線第一部１８は直線第三部２０より長い。従って、把手治具６は、図１のように、止め具部７を足場板１１上面から突出状とし止め具部７以外の全体が間隔部３に収容状態となり、かつ、図２に示すように、第一・第二直線部１８，１９を間隔部３から足場板１１上面側へ引き出し把手構造を得ることができる。
【００１６】
また、止め具部７はアイボルトとされ、貫通主孔５がアイボルトに螺合するネジ孔８とされている。なお、貫通主孔５（ネジ孔８）の内径は、上記棒部材２１の外形より大きい。
従って、図１に示すように、把手治具６のアイボルトを除くその他の部位を間隔部３に差し入れ、アイボルトである止め具部７を足場板１１に形成したネジ孔８に螺合させることで、把手治具６はパネル体４に固定される。なお、アイボルトのボルト側先端部と鋼製棒部材２１との接合は突き合わせ状として溶接すればよい。また、直線第一部１８の長さは、間隔部３の間隔Ａより短いため、アイボルトの螺合・取り外しの際に把手治具６の屈曲棒部材２１は間隔部３内において回転できる。
【００１７】
この電波吸収パネル体１０に固定されたアイボルトは、図３に示すように、パネル体１０が所定の取付位置に布設されてから、縦梁１５等に端部を固定した落下防止用ワイヤ２３をアイボルトに挿通させ、落下防止吊り用治具として把手治具６を機能させることができる。
なお、ワイヤ２３がアイボルトに挿通されると、アイボルトは回転が拘束され、振動等により把手治具６がパネル体１０から外れることがない。
【００１８】
次に、パネル体４の布設及び取り替え作業における搬送時の、パネル体把手構造について説明すると、パネル体４を作業者が搬送する場合、図２に示すように、上記アイボルト（止め具部７）とネジ孔８とは解かれ、足場板１１上面より直線第一部１８及び直線第二部１９とが引き出し突出状とされる。
そして、足場板１１（上層板１）は、把手治具６が上記のように引き出された状態で、折り返し屈曲させた把手治具６の他端部６ｂが差し込み状となって把手治具６の回転を防止する貫通副孔９を有している。
【００１９】
つまり、貫通副孔９は、把手治具６の直線第一部１８と直線第二部１９とが間隔部３から引き出され足場板１１の表面（上面）より露出状とされて、把手治具６の他端部６ｂである差し込み端部１７が足場板１１に挿通状となる位置に形成されている。
差し込み端部１７が貫通副孔９に差し込み状となり、把手治具６の直線第三部２０が足場板１１の裏面に当接して係止状となり、直線第一部１８が足場板１１と対面状となってパネル体４を持ち上げるためのグリップ部とできる。このグリップ部（直線第一部１８）を作業者がつかむことにより、パネル体４を持ち上げて容易に搬送ができる。そして、この把手治具６は、一枚のパネル体４に２か所設けられている。
【００２０】
把手治具６によりパネル体４を持ち上げた際に、足場板１１の裏面と接触する部位（直線第三部２０）は所定長さを有する直線部材であり、把手治具６はパネル体４の自重を点ではなく、線（細い面）にて受けるため、接触用の座部材を特に設けなくても足場板１１を変形させたり傷つけることがなく、また、把手治具６自身も別の突出係止部材等を設ける必要がない。つまり、極めて簡単で効果的な構造であるといえる。
【００２１】
そして、把手治具６を作業者がつかんで、取付位置にパネル体４を搬送し、位置調整し、パネル体固定用梁にパネル体４を固定し、把手治具６を図１のように、間隔部３へ差し入れて足場板１１に固定し、止め具部７（アイボルト）に落下防止ワイヤ２３を挿通させて（図３）、取付作業を終える。
【００２２】
本発明は、以上の構成により、パネル体４の上面側に落下防止を兼ねた把手が構成されるため、パネル体４が重量物であってもパネル体４の下方側から持ち上げて布設するのではなく、上方側よりパネル体４を引き上げて布設できるため、安全であり、また、作業性がよい。
さらに、パネル体４の布設後において、パネル体４を取り替え等のために取り外す際に、図２のように把手治具６を引き出せば把手として再び機能させることができる。
【００２３】
【発明の効果】
本発明は上述の構成により次のような効果を奏する。
【００２４】
（請求項１によれば）パネル体４の布設・交換時における持ち運びの際、把手治具６を間隔部３から引き出し、把手治具６を把手として働かせ、また、パネル体４を例えば高所に設置した場合には、把手治具６を間隔部３へ差し入れ固定し、把手治具６の一端部６ａの止め具部７にワイヤ２３等を接続させれば、把手治具６を落下防止用の治具として機能させることもできる。
また、パネル体４の上層板１の上面から突出する部位が僅かであり、例えば、パネル体４の上面を足場として活用する場合つまずく心配がなく、安全なものとすることができる。
【００２５】
（請求項２によれば）パネル体４を高所に設置させ、パネル体４に固定したアイボルトである止め具部７に落下防止用ワイヤ２３を挿通させることで、簡単に落下防止の機能を果たすことができる。また、落下防止用ワイヤ２３をアイボルトに挿通させればアイボルトは回転が拘束されて抜止めされ、振動などにより把手治具６が緩むことがない。また、止め具部７のパネル体４への固定・取り外しが容易である。
【００２６】
（請求項３によれば）貫通主孔５に挿通状の把手治具６が、他端部６ｂにおいても貫通副孔９へ挿通状とされるため、作業者が把手治具６をつかんでパネル体４を搬送する際、把手治具６が回転したり捻じれたりすることがなく、パネル体４の姿勢保持が自在であり、パネル体４の搬送が容易となる。
【００２７】
（請求項４によれば）電波吸収パネル１２を足場板１１と一体として天井面等の高所に取付けが可能となり、取付作業が簡略化できる。電波吸収パネル１２の布設・交換の際、従来のような地上から組み上げる足場を別途組立てたり解体する手間がなくなり、工期の短縮化が図れる。
そして、搬送の際、扱い易い把手が得られると共に、布設後は、安全な足場として上層板１である足場板１１を機能させることができる。
【図面の簡単な説明】
【図１】本発明のパネル体把手構造の実施の一形態を示しパネル体布設状態にある側面断面図である。
【図２】パネル体を搬送する際のパネル体把手構造の側面断面図である。
【図３】パネル体を取付位置に布設させた状態を示す斜視図である。
【図４】従来のパネル体把手構造の斜視図である。
【符号の説明】
１  上層板
２  下層板
３  間隔部
４  パネル体
５  貫通主孔
６  把手治具
６ａ  一端部
６ｂ  他端部
７  止め具部
８  ネジ孔
９  貫通副孔
１１  足場板
１２  電波吸収パネル
【図１】
2004270367.tif 000003
【図２】
2004270367.tif 000004
【図３】
2004270367.tif 000005
【図４】
2004270367.tif 000006